(57)【特許請求の範囲】
【請求項１】
就寝者の生体情報を取得する生体情報取得手段と、
現在までに取得した前記生体情報を所定の個数用いて就寝者の位置を判定し、就寝者の位置情報を得る検知位置判定手段と、
前記生体情報が取得される都度、所定の期間における前記生体情報の推移から就寝者の睡眠状態を判定する睡眠状態判定手段と、
前記位置情報および前記睡眠状態に基づいて、室内環境制御機器を制御する機器制御手段と、
前記睡眠状態判定手段における睡眠状態の判定方法を変更する制御変更手段と、
を備え、
時間によって変化する生体情報に応じて室内環境の制御を行うことを特徴とする室内環境制御システム。
【請求項２】
前記生体情報が就寝者の体動を示す体動情報である場合、
前記睡眠状態判定手段は、就寝者の体動有りの状態または就寝者の体動無しの状態が前記所定の期間継続した場合に睡眠状態を判定する、
ことを特徴とする請求項１に記載の室内環境制御システム。
【請求項３】
前記生体情報が就寝者の体動を示す体動情報である場合、
前記睡眠状態判定手段は、前記所定の期間における就寝者の無体動状態をカウントし、積算された無体動状態の回数に基づいて睡眠状態を判定する、
ことを特徴とする請求項１に記載の室内環境制御システム。
【請求項４】
前記制御変更手段は、いずれか一方の判定方法とする、または前記睡眠状態判定手段が睡眠状態の判定を継続中に一方の判定方法から他方の判定方法に切り替える、
ことを特徴とする請求項２または３に記載の室内環境制御システム。
【請求項５】
室内環境制御対象の室内に複数人が就寝している場合、
前記睡眠状態判定手段は、前記生体情報取得手段から取得した各人の生体情報から各人の睡眠深度を判定し、
前記機器制御手段は、前記各人の睡眠深度に基づいて、室内環境制御機器を制御する、
ことを特徴とする請求項１〜４のいずれか１つに記載の室内環境制御システム。
【請求項６】
ユーザーが所望の室内環境状態を設定する空調管理装置と、
就寝者の生体情報を取得する生体情報取得手段と、
前記生体情報を所定の個数用いて就寝者の位置を判定し、就寝者の位置情報を得る検知位置判定手段と、
前記生体情報を用いて就寝者の起床時刻を推定し、推定起床時刻を得る起床時刻推定手段と、
前記位置情報および前記推定起床時刻に基づいて、前記所望の室内環境状態になるように前記室内環境制御機器を制御する機器制御手段と、
前記起床時刻推定手段における起床時刻の判定方法を変更する制御変更手段と、
を備え、
時間によって変化する生体情報に応じて室内環境の制御を行うことを特徴とする室内環境制御システム。
【請求項７】
前記起床時刻推定手段は、所定の期間における前記生体情報の推移から就寝者の睡眠状態を判定し、複数回判定した就寝者の睡眠深度の浅い／深いの比率によって起床時刻を推定する、
ことを特徴とする請求項６に記載の室内環境制御システム。
【請求項８】
前記検知位置判定手段は、前記生体情報取得手段が規定された期間に取得した所定の個数の生体情報の差分から室内環境制御対象に在室の人数を判定し、それぞれの人の位置を前記生体情報取得手段から生体情報を取得する都度補正する、
ことを特徴とする請求項１〜７のいずれか１つに記載の室内環境制御システム。
【請求項９】
前記検知位置判定手段は、前記生体情報取得手段が規定された期間に取得した所定の個数の生体情報の相関値から室内環境制御対象に在室の人数を判定し、それぞれの人の位置を前記生体情報取得手段から生体情報を取得する都度補正する、
ことを特徴とする請求項１〜７のいずれか１つに記載の室内環境制御システム。
【請求項１０】
前記生体情報取得手段は、前回取得した就寝者の生体情報において反応の無い範囲がある場合、次回就寝者の生体情報を取得する対象範囲を、前回の対象範囲から前記反応の無い範囲を除外して前回よりも小さい対象範囲とし、
前記検知位置判定手段は、前記生体情報取得手段が取得した生体情報から相関値を求める、
ことを特徴とする請求項９に記載の室内環境制御システム。
【請求項１１】
前記生体情報取得手段は、所定の回数生体情報を取得した後、次回就寝者の生体情報を取得する対象範囲を前回よりも大きい対象範囲とする、
ことを特徴とする請求項１０に記載の室内環境制御システム。
【請求項１２】
請求項１〜１１に記載の室内環境制御システムを備えた空気調和機。
【発明の詳細な説明】
【技術分野】
【０００１】
本発明は、室内環境制御システムに関する。
【背景技術】
【０００２】
従来、ユーザーの睡眠時において室内の空調を快適に制御する技術が開発されている。例えば、おやすみモード付空気調和機は、おやすみモードの動作時間や空気調和機の吸い込み温度（空気調和機の本体周辺の温度）に応じて室内の空調をコントロールしている。
【０００３】
また、下記特許文献１、２では、ユーザーの睡眠状態を判定し、その睡眠状態に応じて空調制御を行う場合に、体動の大きさと回数を利用して睡眠状態の判定を行い、睡眠深度が深い場合に空調機を止めて省エネを図る技術が開示されている。また、下記特許文献３では、ユーザーの顔を焦電センサーと赤外線センサーで追従し、顔の表面温度から快適性を判断する空気調和機についての技術が開示されている。
【先行技術文献】
【特許文献】
【０００４】
【特許文献１】特開２０１０−１３３６９２号公報
【特許文献２】特開２００７−１３２５５８号公報
【特許文献３】特開平２−１５７５５１号公報
【発明の概要】
【発明が解決しようとする課題】
【０００５】
しかしながら、上記特許文献１、２では、最初にセンシングした体動情報をもとに空調制御を行う。そのため、ユーザーの寝ている位置が寝返り等で変わった場合または同室に複数人が寝ていた場合等の就寝者の快適性までは考慮されていない、という問題があった。また、上記特許文献３では、顔を可視画像と赤外線センサーで追従し、その表面温度から快適性を判断する方法では、ユーザーの着衣量、活動量、末端温度が判断できないため、リラックス状態であるのか、転寝状態であるのか判断できない。また、分解能が粗い場合、顔と背景空間の平均温度が出力されるため、顔の位置を正確に判断できない、という問題があった。
【０００６】
本発明は、上記に鑑みてなされたものであって、就寝者に快適な睡眠環境を提供可能な室内環境制御システムを得ることを目的とする。
【課題を解決するための手段】
【０００７】
上述した課題を解決し、目的を達成するために、本発明は、就寝者の生体情報を取得する生体情報取得手段と、現在までに取得した前記生体情報を所定の個数用いて就寝者の位置を判定し、就寝者の位置情報を得る検知位置判定手段と、前記生体情報が取得される都度、所定の期間における前記生体情報の推移から就寝者の睡眠状態を判定する睡眠状態判定手段と、前記位置情報および前記睡眠状態に基づいて、室内環境制御機器を制御する機器制御手段と、を備え、時間によって変化する生体情報に応じて室内環境の制御を行うことを特徴とする。
【発明の効果】
【０００８】
本発明によれば、就寝者に快適な睡眠環境を提供できる、という効果を奏する。
【図面の簡単な説明】
【０００９】
【図１】図１は、実施の形態１に係る室内環境制御システムの室内設置例を示す図である。
【図２】図２は、実施の形態１に係る室内環境制御システムの構成例を示す図である。
【図３】図３は、実施の形態１における室内環境制御システムの空調制御動作を示すフローチャートである。
【図４】図４は、検知位置判定部における位置検出方法を示す図である。
【図５】図５は、生体情報取得部におけるセンシング対象範囲を示す図である。
【図６】図６は、生体情報取得部におけるセンシング対象範囲を変更する様子を示す図である。
【図７】図７は、睡眠状態判定部における睡眠深度の判定方法を示す図である。
【図８】図８は、睡眠状態判定部における睡眠深度の判定方法を示す図である。
【図９】図９は、空気調和機に対する設定目標値テーブルの一例を示す図である。
【図１０】図１０は、実施の形態２に係る室内環境制御システムの構成例を示す図である。
【図１１】図１１は、実施の形態２における室内環境制御システムの空調制御動作を示すフローチャートである。
【発明を実施するための形態】
【００１０】
以下に、本発明に係る室内環境制御システムの実施の形態を図面に基づいて詳細に説明する。なお、この実施の形態によりこの発明が限定されるものではない。
【００１１】
実施の形態１．
図１は、本実施の形態に係る室内環境制御システムの室内設置例を示す図である。図１に示すように、室内環境制御システムは、室内環境制御機器である空気調和機１０に内蔵されているシステムであり、就寝中の人である就寝者１、２の生体情報（体動情報）を、空気調和機１０に備えられた生態情報取得部２１より取得して空気調和機１０の制御を行う。ここでは、室内環境制御機器として空気調和機１０を例に説明する。
【００１２】
図２は、本実施の形態に係る室内環境制御システムの構成例を示す図である。室内環境制御システム２０は、生体センサーにより就寝者の生体情報を検出（センシング）する生体情報取得部２１と、生体情報取得部２１と接続され、検出された生体情報を元に、就寝者の適切な位置を生体情報取得部２１におけるセンシングの都度判定する検知位置判定部２２と、睡眠状態の判定方法を制御する制御変更部２３と、生体情報取得部２１と接続され、検出された生体情報を元に、睡眠状態を判定する睡眠状態判定部２４と、それぞれの判定部からの情報を元に、空気調和機１０の設定温度および設定湿度を変更する機器制御部２５と、を備える。なお、図２では本実施の形態に係る要部の構成のみを示しており、送風ファンや冷凍サイクルといった空気調和機１０に通常備わる各種構成部についての図示は省略している。
【００１３】
生体情報取得部２１は、就寝者の睡眠状態に合わせて変化する生体情報を取得するセンサーであればよく、例えば、図１に示すように空気調和機１０の前部に設置されたセンサーの場合、カメラ、ドップラレーダセンサー、サーモパイルセンサー、焦電センサー、または輻射センサーといった就寝者に非接触で取得できるセンサーがある。また、生体情報取得部２１としては、就寝者に直接接触させることでその生体情報を取得するセンサー（例えば、脈拍計や脳波計）や、寝具の下に敷設し、体動時の圧力変化によって生体情報を取得するセンサー（例えば、圧電センサーや振動センサー）であってもよい。生体情報取得部２１は、就寝者の生体情報（体動情報）を検知し、その生体情報を示す生体情報（体動の有無）を検知位置判定部２２および睡眠状態判定部２４に出力する。出力するタイミングとしては、生体情報取得部２１は、所定時間Ｔ１秒（例えば、３０秒）毎に１度就寝者の生体情報を検知し、検知した生体情報を検知位置判定部２２および睡眠状態判定部２４に出力する。
【００１４】
検知位置判定部２２は、生体情報取得部２１がある所定時間Ｔ１秒毎にｎ回センシングした生体情報を用いて、規定された回数（所定の個数）の生体情報の差分または相関値より就寝者の位置を判定し、就寝者の位置情報を機器制御部２５に出力する。
【００１５】
睡眠状態判定部２４は、生体情報取得部２１が出力した生体情報より、就寝者の睡眠状態を判定する。睡眠状態判定部２４は、例えば、ある一定の期間ｔ１間に体動がなかった場合に睡眠が深い（深睡眠）と判断し、ある一定の期間ｔ２間に体動を検知した場合に睡眠が浅い（浅睡眠）と判断する。
【００１６】
機器制御部２５は、検知位置判定部２２が判定した就寝者の位置情報、および睡眠状態判定部２４が判定した就寝者の睡眠深度に応じて、室内環境の目標値（温度や湿度、風向、風量など）を設定し、空気調和機１０の噴出し温度や加湿・除湿、室外圧縮機の回転数などを制御し、室内の温湿度が目標値になるよう環境を構築する。
【００１７】
なお、各ブロックはマイクロコンピュータを含む電子回路で処理され、室内環境制御システム全体を制御する。
【００１８】
つづいて、室内環境制御システム２０の空調制御動作について説明する。図３は、本実施の形態における室内環境制御システム２０の空調制御動作を示すフローチャートである。
【００１９】
まず、空気調和機１０の動作開始により室内環境制御システム２０が起動されると、生体情報取得部２１が、就寝者の生体情報（例えば、体動情報）を検出して取得する（ステップＳ１１）。生体情報取得部２１は、生体情報を検知位置判定部２２および睡眠状態判定部２４に出力する（ステップＳ１２）。
【００２０】
検知位置判定部２２は、生体情報取得部２１においてある一定期間Ｔ間にｎ回センシング（生体情報検出）して得られた生体情報に基づいて、例えば、ｎ回目と（ｎ−１）回目の差分または相関値をとり就寝者の位置補正を行うことにより、空調対象者の人数および位置を都度正確に判定し、得られた位置情報を機器制御部２５に出力する（ステップＳ１３）。図４は、検知位置判定部２２における位置検出方法を示す図である。検知位置判定部２２は、例えば、位置検出対象のエリアを小さいエリアに細分化し、生体情報が検出された位置に就寝者がいると判定することができる。なお、一例として、ｎ回目と（ｎ−１）回目の差分または相関値をとる場合をあげたが、これに限定するものではない。検知位置判定部２２は、生体情報取得部２１で検出された複数個の生体情報を用いて差分または相関値をとり就寝者の位置補正を行うようにしてもよい。
【００２１】
なお、生体情報取得部２１においてセンシングする対象範囲は一定ではなく、対象範囲の大きさを変更してもよい。図５は、生体情報取得部２１におけるセンシング対象範囲を示す図である。就寝者がいる場所に対して生体情報取得部２１のセンシング対象範囲が大きい場合、生体情報取得部２１では、就寝者の体動を相対的に小さく判定してしまい、生体情報がノイズに埋もれてしまうおそれがある。そのため、室内環境制御システム２０では、生体情報取得部２１は、センシングの対象範囲の大きさをいくつかのパターンでｎ回センシングし、検知位置判定部２２は、それぞれのパターンで分割判定し、反応（体動）のある部分のみを残して就寝者の位置を正確に判定するようにしてもよい。分割判定とは、ｎ回センシングした各パターンの相関値をとる（ノイズフィルタあり）ことを示す。
【００２２】
図６は、生体情報取得部２１におけるセンシング対象範囲を変更する様子を示す図である。例えば、生体情報取得部２１は、反応（体動）のない部分を少しずつセンシング対象範囲から除外していくことにより、就寝者のいる範囲のみをセンシング対象範囲にすることができる。このようにして生体情報取得部２１が得た生体情報を用いることにより、検知位置判定部２２は、センシング対象範囲が一定の場合と比較して、さらに、空調対象者の人数および位置を都度正確に判定することができる。なお、センシング対象範囲を小さくした場合、就寝者が寝返りすることによって移動してしまい、就寝者がセンシング対象範囲から外れてしまうことが予想される。そのため、生体情報取得部２１では、例えば、時間毎（所定の回数センシングする毎）に再度いくつかのパターンでセンシングし、分割判定してもよい。すなわち、センシング対象範囲を小さい状態で継続せずに、所定の回数センシングする毎にセンシング対象範囲を拡大する。
【００２３】
睡眠状態判定部２４は、得られた生体情報に基づいて、就寝者の睡眠深度の判定を行う（ステップＳ１４）。ここで、睡眠状態判定部２４における睡眠深度の判定について説明する。図７は、睡眠状態判定部２４における睡眠深度の判定方法を示す図である。睡眠状態判定部２４は、図７に示すように、例えば、ある一定期間ｔ１の間体動がなかった場合を「深睡眠」と判定し（ステップＳ１４：深睡眠）、判定の結果として睡眠深度（深睡眠）を機器制御部２５に出力する（ステップＳ１５）。また、睡眠状態判定部２４は、ある一定の期間ｔ２の間体動を検知した場合を「浅睡眠」と判定し（ステップＳ１４：浅睡眠）、判定の結果として睡眠深度（浅睡眠）を機器制御部２５に出力する（ステップＳ１６）。このような判定方法をリアルタイム制御とする。
【００２４】
また、睡眠状態判定部２４における他の睡眠深度の判定について説明する。図８は、睡眠状態判定部２４における睡眠深度の判定方法を示す図である。睡眠状態判定部２４は、図８に示すように、例えば、ある一定期間ｔ３の間に無体動状態をカウントしてその回数を積算し、ある一定回数の無体動状態がカウントされた場合を「深睡眠」と判定し（ステップＳ１４：深睡眠）、判定の結果として睡眠深度（深睡眠）を機器制御部２５に出力する（ステップＳ１５）。また、睡眠状態判定部２４は、ある一定の期間の無体動回数があらかじめ決められた任意の回数以下の場合を「浅睡眠」と判定し（ステップＳ１４：浅睡眠）、判定の結果として睡眠深度（浅睡眠）を機器制御部２５に出力する（ステップＳ１６）。このような判定方法を無体動回数カウント制御とする。室内環境制御システム２０では、制御変更部２３が、これらの判定方法の変更を制御する。
【００２５】
機器制御部２５は、検知位置判定部２２から受け取った位置情報で示された就寝者の位置に対して、睡眠状態判定部２４から受け取った睡眠状態の判定結果（「浅睡眠」または「深睡眠」）に応じて、空気調和機１０の目標値を設定し、室内環境が目標値になるよう空気調和機１０の噴出し温度や風向・風量・室外圧縮機の回転数などを制御する（ステップＳ１７）。
【００２６】
図９は、空気調和機１０に対する設定目標値テーブルの一例を示す図である。機器制御部２５は、図９に示すような省エネ性と快適性を考慮して設定された目標値テーブルを保持しており、睡眠状態判定部２４が浅睡眠と判定した場合、図９に示す設定目標値テーブルより、「目標温度：２６．０℃」「目標湿度：４５．０％」「風向き：上向き」「人感：風除け」「圧縮機駆動：高速」といった目標値になるように空気調和機１０を制御する。また、機器制御部２５は、睡眠状態判定部２４が深睡眠と判定した場合、図９に示す設定目標値テーブルより、「目標温度：２８．０℃」「目標湿度：５０．０％」「風向き：上向き」「人感：風除け」「圧縮機駆動：低速」といった目標値になるように空気調和機１０を制御する。なお、これらの設定値は一例であり、これに限定するものではない。例えば、深睡眠時に目標温度２７．０℃にしたり、浅睡眠時に目標湿度を４０．０％にしたり、個人の嗜好・設置環境により不快にならない範囲内で変更可能であるものとする。
【００２７】
以後、室内環境制御システム２０では、制御終了時点まで上記の動作を繰り返し実行する。このとき、例えば、複数の就寝者が同室（室内環境制御対象の室内）で寝ていた場合も、検知位置判定部２２が、各人の位置を検知して機器制御部２５へ出力し、機器制御部２５が、各人の睡眠深度に応じて、例えば、個別に風を吹き分ける制御を行う等、それぞれの睡眠状態に合った空調環境を提供する。
【００２８】
なお、検知位置判定部２２で就寝者の位置を検知（ステップＳ１３）後に、睡眠状態判定部２４で睡眠状態を判定（ステップＳ１４）しているが、処理の順番はこれに限定するものではない。睡眠状態判定部２４の睡眠状態判定を先にしてもよいし、検知位置判定部２２および睡眠状態判定部２４で並行して処理を行ってもよい。
【００２９】
また、一般的に就寝者においては、睡眠初期および起床が近い睡眠後期にて浅睡眠と深睡眠の移り変わる周期が違う（後期の方が、移り変わりが速くなる）ことに着目し、睡眠状態判定部２４は、制御変更部２３の制御により、比較的移り変わりが安定している睡眠初期は無体動回数カウント制御を使用し、睡眠後期はリアルタイム制御を使用して睡眠深度を判定する等、睡眠深度を判定する制御を任意に変更できることを特徴とする。
【００３０】
このように、室内環境制御システム２０では、就寝者の生体情報（体動情報）を元に睡眠深度に応じた室内環境を作り出すことができ、一定期間センシングした体動情報の差分または相関をとることで、より最適な位置を割り出し、リアルタイムに睡眠深度を判定し、室内環境の追従性を向上することが可能となる。
【００３１】
以上説明したように、本実施の形態によれば、室内環境制御システム２０では、生体情報取得部２１が取得した生体情報に対し、検知位置判定部２２が就寝者の位置を都度正確に判定し、睡眠状態判定部２４がリアルタイムに睡眠深度の判定を行い、機器制御部２５が室内環境の制御を行うことにより、就寝者の睡眠中の体の状態に合った室内環境を作り出すことが可能である。また、常時取得した生体情報に対し、毎回の差分または相関値をとり就寝者の位置補正を行うことにより、従来と比較して、最適な人の位置を把握して空調制御を行うことで、快適な睡眠環境を提供することが可能になる。
【００３２】
実施の形態２．
本実施の形態では、空調管理装置を備えた室内環境制御システムについて説明する。実施の形態１と異なる部分について説明する。
【００３３】
図１０は、本実施の形態に係る室内環境制御システムの構成例を示す図である。室内環境制御システム２０ａは、手元リモコンまたは集中管理装置等の外部入力手段である空調管理装置３０と、空気調和機１０に内蔵された室内環境制御装置４０と、を備える。なお、図１０では本実施の形態に係る要部の構成のみを示しており、送風ファンや冷凍サイクルといった空気調和機１０に通常備わる各種構成部についての図示は省略している。
【００３４】
空調管理装置３０は、任意の時刻に任意の空調制御を行うためのスケジュール機能が備わっており、ユーザーが所望の室内環境状態、運転操作およびスケジュールを設定する運転操作設定部３１と、設定された内容を記憶する記憶部３２と、時刻を認識する時計部３３と、記憶部３２に記憶されている設定を室内環境制御装置４０側へ送信する制御を行う制御部３４と、室内環境制御装置４０側へ設定内容の送信を行う送受信部３５と、を備える。
【００３５】
室内環境制御装置４０は、生体情報取得部２１と、検知位置判定部２２と、起床時刻の判定方法を制御する制御変更部２３ａと、生体情報取得部２１と接続され、検出された生体情報を元に、就寝者の起床時刻を推定する起床時刻推定部２６と、それぞれの判定部からの情報を元に、空気調和機１０の設定温度および設定湿度を変更する機器制御部２５ａと、を備える。
【００３６】
つづいて、室内環境制御システム２０ａの空調制御動作について説明する。図１１は、本実施の形態における室内環境制御システム２０ａの空調制御動作を示すフローチャートである。
【００３７】
まず、空気調和機１０の動作開始後、ユーザーが、例えば、手元リモコンまたは集中管理装置等の空調管理装置３０より、運転操作設定部３１を介して起床時における所望の室内環境状態の設定を行う（ステップＳ２１）。本実施の形態での設定内容としては、従来から備わっている、例えば、空気調和機１０の発停（運転開始または停止）、運転モード、設定温度、操作禁止設定等を設定する。運転操作設定部３１は、設定された内容（室内環境状態）を記憶部３２に記憶する。空調管理装置３０では、制御部３４が、記憶部３２に設定された室内環境状態を、送受信部３５経由で室内環境制御装置４０側へ送信する。
【００３８】
つぎに、室内環境制御装置４０では、生体情報取得部２１が、就寝者の生体情報を検出して取得する（ステップＳ２２）。生体情報取得部２１は、生体情報を検知位置判定部２２および起床時刻推定部２６に出力する（ステップＳ２３）。
【００３９】
検知位置判定部２２は、生体情報取得部２１においてある一定期間Ｔ間にｎ回センシング（生体情報取得）して得られた生体情報に基づいて、例えばｎ回目と（ｎ−１）回目の差分または相関値をとり就寝者の位置補正を行うことにより、空調対象者の人数および位置を都度正確に判定し、得られた位置情報を機器制御部２５に出力する（ステップＳ２４）。具体的な位置検出方法は、実施の形態１と同様である。
【００４０】
起床時刻推定部２６は、得られた生体情報に基づいて、就寝者の起床時刻の推定を行う。起床時刻を推定する方法としては、例えば、起床時刻推定部２６は、生体情報取得部２１より得られた就寝者の体動情報を元に、睡眠深度を判定し、複数回判定した就寝者の睡眠深度の浅い／深いの比率によって起床時刻を推定する。睡眠深度を判定する方法については、実施の形態１における睡眠状態判定部２４と同様の方法でよい。また、起床時刻を推定する他の方法として、起床時刻推定部２６は、生体情報取得部２１より得られた就寝者の体動情報を用いて就寝者の起床時の体動情報を学習し、起床時の体動を検知することで起床時刻を推定する。起床時刻推定部２６は、推定した起床時刻（推定起床時刻）を機器制御部２５ａに出力する（ステップＳ２５）。
【００４１】
機器制御部２５ａは、検知位置判定部２２から受け取った位置情報で示された就寝者の位置に対して、起床時刻推定部２６から受け取った推定起床時刻において、ユーザーが設定した空調環境状態（空調管理装置３０側から受け取った所望の室内環境状態）になるように空気調和機１０の噴出し温度や風向・風量・室外圧縮機の回転数などを制御する（ステップＳ２６）。
【００４２】
以後、室内環境制御システム２０ａでは、制御終了時点まで上記の動作を繰り返し実行する。
【００４３】
なお、検知位置判定部２２で就寝者の位置を検知（ステップＳ２４）後に、起床時刻推定部２６で起床時刻を推定（ステップＳ２５）しているが、処理の順番はこれに限定するものではない。起床時刻推定部２６で起床時刻の推定を先にしてもよいし、検知位置判定部２２および起床時刻推定部２６で並行して処理を行ってもよい。
【００４４】
以上説明したように、本実施の形態によれば、空調管理装置３０および室内環境制御装置４０から室内環境制御システム２０ａが構成される場合に、室内環境制御装置４０は推定起床時刻において、空調管理装置３０側で設定された室内環境状態になるように室内環境の制御を行うこととした。この場合においても、実施の形態１と同様の効果を得ることが可能である。
【産業上の利用可能性】
【００４５】
以上のように、本発明に係る室内環境制御システムは、室内環境の制御に有用であり、特に、就寝者に対する室内環境の制御に適している。
【符号の説明】
【００４６】
１０  空気調和機
２０、２０ａ  室内環境制御システム
２１  生体情報取得部
２２  検知位置判定部
２３、２３ａ  制御変更部
２４  睡眠状態判定部
２５、２５ａ  機器制御部
２６  起床時刻推定部
３０  空調管理装置
３１  運転操作設定部
３２  記憶部
３３  時計部
３４  制御部
３５  送受信部
４０  室内環境制御装置
【図１】
0005832359.tif 000002
【図２】
0005832359.tif 000003
【図３】
0005832359.tif 000004
【図４】
0005832359.tif 000005
【図５】
0005832359.tif 000006
【図６】
0005832359.tif 000007
【図７】
0005832359.tif 000008
【図８】
0005832359.tif 000009
【図９】
0005832359.tif 000010
【図１０】
0005832359.tif 000011
【図１１】
0005832359.tif 000012